(57)【要約】      （修正有）【課題】並設されるラックにおいて、収納スペースに無駄がなく便利に使用されるラック用棚板支持具を提供する。【解決手段】並設されるラックの互いに隣接する縦桟１０１のそれぞれを一体に固定するように装着されるベース部材２と、ベース部材からラック内に延び出して棚を支持する棚板支持部材３とから構成される。ベース部材が前部材４と後部材６とを備え、前部材と後部材とで隣接する縦桟のそれぞれを挟持して一体に固定するように装着されるのが好ましい。また、棚板支持部材がベース部材に取り外し可能に取り付けられる構成とすることで、棚板を必要とするラックだけに選択的に棚板支持部材を使用でき、収納に無駄が生じない。【選択図】図３
0003194248.tif 000002
【実用新案登録請求の範囲】
【請求項１】
並設されるラックの互いに隣接する縦桟のそれぞれを一体に固定するように装着されるベース部材と、
前記ベース部材から前記ラック内に延び出して棚を支持する棚板支持部材と、
から構成されることを特徴とするラック用棚板支持具。
【請求項２】
前記ベース部材が前部材と後部材とを備え、前記前部材と前記後部材とで前記隣接する縦桟のそれぞれを挟持する状態において一体に固定するように装着される請求項１記載のラック用棚板支持具。
【請求項３】
前記棚板支持部材が前記ベース部材に取り外し可能に取り付けられる請求項１記載のラック用棚板支持具。
【考案の詳細な説明】
【技術分野】
【０００１】  この考案は、各種ラックにおいて使用されるラック用棚板支持具に関する。
【背景技術】
【０００２】  倉庫内等においてはラックが並設され、その棚板上に多くの物品が載置収納される。通常この種のラックは水平枠と柱とが連結されて立体的に構成され、その水平枠上にパレット形態等の棚板が配置されている。棚板は、例えば、２段に設けられるが、収納物品が小さく高さが無い場合は収納スペースが無駄になり、そのような場合には柱に別途金属製の棚板支持具を取り付け、それに係止するようにして補助的に棚板を設けることで対応している。
【考案の概念】
【考案が解決しようとする課題】
【０００３】  この考案では、並設されるラックにおいて便利に使用されるラック用棚板支持具を提供することを目的とする。
【課題を解決するための手段】
【０００４】  この考案では、並設されるラックの互いに隣接する縦桟のそれぞれを一体に固定するように装着されるベース部材と、前記ベース部材から前記ラック内に延び出し棚を支持する棚板支持部材とから構成されることを特徴とするラック用棚板支持具を提供する。
【０００５】  上記構成のラック用棚板支持具によれば、ベース部材が並設されるラックの互いに隣接する縦桟のそれぞれを一体に固定することで並設されるラックが連結固定され、そのベース部材からラック内に延び出す棚板支持部材により棚が載置使用される。並設されるラックそれぞれの棚板支持部材が１個のベース部材から延び出すことで、構成が簡単となり、その取り付けが容易になされる。ラックは地震等で大きく揺れて収納物品が落下する場合があり、したがって、並設されるラックは互いに連結固定されることが好ましく、その連結固定がベース部材によってなされる。また、ベース部材が並設されるラックの互いに隣接する縦桟のそれぞれを一体に固定することで、縦桟それぞれが近接する状態で固定でき、並設されるラックどうし間に隙間が生じにくく見栄えがよい。それぞれのラックにベース部材を取り付けた場合、そのベース部材どうしが当たってラック間に隙間が生じる。
【０００６】  ベース部材が前部材と後部材とを備え、その前部材と後部材とで並設されるラックの互いに隣接する縦桟のそれぞれを挟持する状態において一体に固定するように装着される構成とされることで、ベース部材の取り付けが容易、かつ、安定して行われる。
【０００７】  棚板支持部材がベース部材に取り外し可能に取り付けられる構成とされることで、棚板を必要とするラックにおいて選択的に棚板支持部材を使用できる。
【考案の効果】
【０００８】  この考案によれば、並設されるラックにおいて容易に棚板支持部材が取り付けられ、かつ、並設されるラックの連結固定を可能とするラック用棚板支持具が得られる。
【図面の簡単な説明】
【０００９】
【図１】  この考案のラック用棚板支持具の実施形態の分解斜視図
【図２】  この考案のラック用棚板支持具の棚板支持片の後面側斜視図
【図３】  この考案のラック用棚板支持具の実施形態の使用状態図
【図４】  この考案のラック用棚板支持具の使用説明図
【図５】  この考案のラック用棚板支持具の実施形態の使用時の部分水平断面図
【考案を実施するための形態】
【００１０】  図１はこの考案のラック用棚板支持具の分解斜視図である。ラック用棚板支持具１はクランプ（ベース部材）２と一対の棚板支持片（棚板支持部材）３とから構成される。クランプ２は鉄製で、面状の前部材４とそれに相対配置される面状の後部材６とからなり、後部材６の一端側の折れ曲がり部８の端部が前部材４の一端側に軸支部１０で連結されている。後部材６の他端側には固定ロッド１２の基部が軸支部１４で回動可能に取り付けられ、前部材４の他端側には上記固定ロッド１２の先端側の受け部材１６が軸支部１８で回動可能に取り付けられている。また、後部材６には両端部の内側位置のそれぞれに固定穴２０が上下方向に２個ずつ設けられており、さらに、図１には現れないが、後部材６の背面には固定穴２０の両側に、円形の固定ボス２２が横方向に２個ずつ突出形成されている（図４参照）。
【００１１】  棚板支持片３のそれぞれは、断面形状がコ字型の鋼材の端部が略４５度折り曲げられて形成され、上半部と下半部とが互いに線対称形状であり、その端部側が取り付け基部３０となり、他方側が棚板支持部３２となっている。取り付け基部３０の固定面３４には上下方向に２個の固定穴３６が、横方向に２個の位置決め嵌合穴３８がそれぞれ設けられている。取り付け基部３０の上下において相対する水平部３９のそれぞれは切り欠かれることで細幅となっており、その切り欠き加工によって折り曲げ位置には一対の位置決め用角部４０がそれぞれ形成されている。また、取り付け基部３０の固定面３４の後面には、図２に示すように、補強プレート４４が一体に固着されている。補強プレート４４は上下方向に一対の固定穴４６が、横方向に２個の位置決め嵌合穴４８がそれぞれ設けられ、固定穴４６のそれぞれが固定穴３６それぞれに、位置決め嵌合穴４８のそれぞれが位置決め嵌合穴３８それぞれに合致するように取り付け基部３０の固定面３４に取り付けられている。５０のそれぞれは取り付け用プレートで、上下方向に一対の固定穴５６が設けられており、５２のそれぞれは固定用ボルト、５４のそれぞれは固定ナットである。
【００１２】  ラック用棚板支持具１は、図３、図４に示すように、並設されるラック１００の前後において、互いに隣接する２本の縦桟１０１に取り付けられて使用される。取り付けに際しては、まず、次のようにしてクランプ２に棚板支持片３のそれぞれが取り付けられる。棚板支持片３の取り付け基部３０の前面がクランプ２の後部材６の一方側の外面に当接され、さらに、棚板支持片３の取り付け基部３０の後面に取り付け用プレート５０が当接され、図５に示すように、位置合わせされた固定穴５６、固定穴４６、固定穴３６、固定穴２０を通して後面より固定用ボルト５２が差し入れられ、クランプ２の後部材６の前面において突出する固定用ボルト５２端それぞれに固定ナット５４それぞれが装着固定されることで、クランプ２に棚板支持片３が固定される。上記の固定作業は、クランプ２の後部材６背面の固定ボス２２のそれぞれが棚板支持片３の位置決め嵌合穴３８と補強プレート４４の位置決め嵌合穴４８それぞれに嵌合する状態で行われ、これにより作業が容易に行わるとともに、その固定構造も安定したものとなる。
【００１３】  上記ラック用棚板支持具１は、クランプ２が、後部材６に対して前部材４が十分に開かれた状態において、後部材６の前面が並設されるラック１００の互いに隣接する２本の縦桟１０１のそれぞれの後面に当接され、前部材４が閉じられてその受け部材１６の受け部１７に矢印（図１）方向に回転された固定ロッド１２のネジ部１３が受けられた状態において、ナット１５が締め付けられて固定される。これにより、クランプ２の前部材４と後部材６とで２本の縦桟１０１を挟持する状態においてラック用棚板支持具１は２本の縦桟１０１に取り付け固定され、かつ、２本の縦桟１０１がクランプ２で一体に固定されることで、並設されるラック１００どうしの連結固定も行われる。１１０のそれぞれは金属プレートよりなる固定用スペーサーであり、取り付け固定の際に生じる隙間に適宜差し入れられて、固定をより安定させるように用いられ、この実施形態においては２枚重ねの状態で２か所に用いられている。また、この取り付け状態においては、位置決め用角部４０それぞれが縦桟１０１の角部それぞれに合致することで棚板支持片３のそれぞれは安定して取り付けられている。
【００１４】  図４に示すように、並設されるラック１００の前面側と後面側とにおいて隣接する縦桟１０１にラック用棚板支持具１のそれぞれを同高さに取り付けることで、それぞれのラック１００において４角部から内方に４本の棚板支持片３が突出する状態となって、それらに載置するようにして棚板の使用が行われる。クランプ２のみが使用されることで並設されるラック１００どうしの連結固定が行われ、棚板を必要とするラック１００において選択的に棚板支持片３を使用できることで、無駄のない構成となっている。
【符号の説明】
【００１５】  １    ラック用棚板支持具
２    クランプ（ベース部材）
３    棚板支持片（棚板支持部材）
１００  ラック
１０１  縦桟
【図１】
0003194248.tif 000003
【図２】
0003194248.tif 000004
【図３】
0003194248.tif 000005
【図４】
0003194248.tif 000006
【図５】
0003194248.tif 000007